(57)【要約】      （修正有）【課題】しっかりと頭部に固定され、脱落を防止すると共に、ただ１つの形で、全ての人々のサイズに対応できる形状となるようにし、それによって頭部のサイズに応じた複数の種類を用意する必要を無くした頭髪保護キャップを提供する。【解決手段】頭髪保護キャップ１０１は、フレーム１０２と、フレーム１０３上に多数設けられた突起１０３とから成る。フレーム１０２の中央に、金属板１０４を設けると、フレームが有する弾性と金属が有する塑性変形性という２つの材料の持つ特性が合わさって、使用者の頭部の大きさに合せて、自在に湾曲変形ができる。フレーム１０２は、一直線部分の帯片部１０５と支片部１０６とから構成される。フレームの帯片部１０５は、頭部の側方に巻き付ける部分であり、フレームの支片部１０６は、帯片部１０５から伸びて頭部の上方の一部を覆うものである。【選択図】図１ａ
0003116986.tif 000002
【実用新案登録請求の範囲】
【請求項１】
頭部をカバーするフレームが、頭部の側方をカバーするフレームの帯片部と頭部の上方をカバーするフレームの支片部とから成り、フレームの支片部がフレームの帯片部の側部から伸びて形成されることを特徴とする頭髪保護キャップ。
【請求項２】
フレームの帯片部の中央に、金属板が設けられたことを特徴とする請求項１記載の頭髪保護キャップ。
【請求項３】
フレームの支片部の中央にも、金属板が設けられたことを特徴とする請求項２記載の頭髪保護キャップ。
【請求項４】
金属板がフレームの帯片部及び／又はフレームの支片部の中央に埋め込みにより設けられたことを特徴とする請求項２〜３記載の頭髪保護キャップ。
【請求項５】
金属板がフレームの帯片部及び／又はフレームの支片部の中央に接着または溶着により設けられたことを特徴とする請求項２〜３記載の頭髪保護キャップ。
【請求項６】
金属板が平鋼板であることを特徴とする請求項４〜５記載の頭髪保護キャップ。
【考案の詳細な説明】
【技術分野】
【０００１】  帽子やタオル、手ぬぐい等の頭部着用時に於いて、頭髪の形状を保護すると共に、通気性を確保と頭皮の刺激により、眠気の防止、脱毛の防止及び発毛の促進を図る頭髪保護キャップに関する。
【背景技術】
【０００２】  人々が頭に帽子などを着用した時に、或いは農作業を行う婦人が農作業用帽子を被ったりした際に、整形した髪型が崩れたり、変形し、またその中が蒸れたりするので、このような髪型の変形や蒸れを防止するための提案が、これまで数多く行われている。
例えば、図４に示す帽子内装材（特開２００４−１１０６４）は、多数の突起５、６を設けた取り付け片４が、帽子の中央部に対応する取付部２に固定されている。取り付け片４は、帽子の内側の形状に合せて湾曲されているので、このような帽子内装材１をベルクロテープ３を介して帽子の内側に取り付けてから、その帽子を着用すると、多数の突起５、６が頭皮に接して隙間を作り、そのために頭髪が帽子の圧迫により変形されることを防止することができる。また、隙間の形成により、風通しが良くなり、帽子の内側に熱気がこもることを防止できる。【０００３】  しかし、この帽子内装材１においては、突起５、６を設けた取り付け片４を取付部２に固定するための特別の工夫と、そのための余分な工程が必要となる。それに加えて、取り付け片４が、中心部（取付部２）から放射状に伸びるだけの形状であるために、帽子内装材がしっかりと頭部に固定されず、脱落しやすいばかりでなく、髪型で最も重要である前髪の保護が十分でないという欠点がある。更に、取り付け片４の湾曲は、決められた形で行われるので、全ての人々の頭部に合わせるために、複数の種類を用意しなければならない。
また、図５に示したような帽子支持具（特開２００４−１９０２８）は、「中央に向かって概ね狭くなる切欠部」を有する可撓性シート８に、１０〜３０ｍｍの高さを有する多数のスペーサー突起９が設けらたものから構成される。図５に示されている可撓性シート８の端部を紙面手前の方向へ曲げて、頭部の形状に対応して湾曲させる。このような帽子支持具７を頭部に被せてから帽子を着用すると、帽子内面と頭皮の間に空隙層が形成されて、髪型を変形させてしまうような押圧力を髪全体に与えないで髪型が保持され、またこの空隙層があるために、発汗による蒸れも軽減する。「中央に向かって概ね狭くなる切欠部」は端的には三角形状であり、同図のように、中央部から放射状に広がっている形状でも良いし、そうでなくても良い。また、可撓性シート８の先の方は間隔が広がるので、先の方には直角方向の支片を設ける提案も記載されている。【０００４】  この従来技術においては、可撓性シート８と多数のスペーサー突起９とが一体的に形成されるので、先の従来技術のように、取り付け片（可撓性シート）を取付部に固定するための工夫と、そのための余分な工程は必要なくなる。しかし、可撓性シートの各片が、中心部から放射状に伸びるだけの形状であるために、帽子内装材がしっかりと頭部に固定されず脱落し易く、髪型で最も重要である前髪の保護が十分でないということに加え、可撓性シートの湾曲は、可撓性とはいえ、決められた形で行われるので、全ての人々の頭部に合わせるために、複数の種類を用意しなければならない、という欠点は依然として残る。
【考案の開示】
【考案が解決しようとする課題】
【０００５】  本願にかかる頭髪保護キャップは、前記した従来技術のように、脱落し易く、前髪の保護が十分でないということと、人々の異なったサイズの頭部に合わせるために、複数の種類を用意しなければならないという欠点をなくし、しっかりと頭部に固定され、脱落を防止し、髪型で最も重要である前髪の保護を十分に行うようにすると共に、ただ１つの形で、全ての人々のサイズに対応できる形状となるようにし、それによって頭部のサイズに応じた複数の種類を用意する必要を無くした。
【課題を解決するための手段】
【０００６】  図１ａは、本願にかかる頭髪保護キャップの全体を示し、図１ｂ及び図１ｃは図１ａのＡ−Ａ′間の断面図を示す。頭髪保護キャップ１０１は、フレーム１０２と、フレーム１０３上に多数設けられた突起１０３とから成る。フレーム１０２の中央に、金属板１０４を設けると、フレームが有する弾性と金属が有する塑性変形性という２つの材料の持つ特性が合わさって、使用者の頭部の大きさに合せて、自在に湾曲変形ができる。これによって、ただ１つの形で、全ての人々のサイズに対応できる形状となるように構成する上で有利であり、以降、金属板１０４をフレームの中央に設ける形で本願の説明を行う。
本願の請求項１の考案は、頭部をカバーするフレームが、頭部の側方をカバーするフレームの帯片部と頭部の上方をカバーするフレームの支片部とから成り、フレームの支片部がフレームの帯片部の側部から伸びて形成されることを特徴とする頭髪保護キャップである。
本願の請求項２の考案は、フレームの帯片部の中央に、金属板が設けられたことを特徴とする請求項１記載の頭髪保護キャップである。
本願の請求項３の考案は、フレームの支片部の中央にも、金属板が設けられたことを特徴とする請求項２記載の頭髪保護キャップである。
本願の請求項４の考案は、金属板がフレームの帯片部及び／又はフレームの支片部の中央に埋め込みにより設けられたことを特徴とする請求項２〜３記載の頭髪保護キャップである。
本願の請求項５の考案は、金属板がフレームの帯片部及び／又はフレームの支片部の中央に接着または溶着により設けられたことを特徴とする請求項２〜３記載の頭髪保護キャップである。
本願の請求項６の考案は、金属板が平鋼板であることを特徴とする請求項４〜５記載の頭髪保護キャップである。【０００７】  フレーム１０２は、一直線部分の帯片部１０５と支片部１０６とから構成される。フレームの帯片部１０５は、頭部の側方に巻き付ける部分であり、この部分を前頭部から挿入して頭部側方に固定することにより、髪型で最も重要である前髪の保護を十分に行うことができる。フレームの支片部１０６は、帯片部１０５から伸びて頭部の上方の一部を覆うものである。フレームの支片部１０６は、図１ａに示すように、各支片部１０６が上で鋭角に交わる三角形状が好適であるが、三角形状でなくてもよく、各支片部１０６は、また、上で互いにつながっていても良く、途切れていても良い。また、この三角形状の数は図１ａに示されているように３つで無くとも良い。また、図１ａでは、フレームの支片部１０６は、帯片部１０５の上のほうの片側だけから伸びるように構成するが、帯片部１０５の両側から伸びるように構成してもよい。即ち、帯片部１０５の上側の片側から伸びる各支片部は互いに上で鋭角に交わるが、帯片部１０５の下側の片側から伸びる各支片部は下の方でカットされるように構成しても良い。【０００８】  突起１０３は、図１ｂ、図１ｃに示すように、金属板１０４の両側にブラシ状に設けられ、５ｍｍ以上の長さを有する円錐状、角錐状、円柱状または角柱状又はその他の錐状、柱状であり、その断面積は頭皮に対する圧迫に耐えられる大きさに選択される。突起１０３の先端部は、図１ｂでは、丸皿状であるが、平皿状でもよいし、膨れた球状でもよい。
金属板１０４をフレーム１０２の中央に設ける場合は、図１ｂに示すように、フレームの帯片部１０５と支片部１０６の各部分の中央に金属板１０４を埋め込んで一体化しても良いし、図１ｃに示すように、フレームの帯片部１０５と支片部１０６の各部分の中央上で金属板１０４を接着又は溶着によって一体化しても良い。  金属板１０４は、その材質と厚さが、塑性変形により手で容易に曲げられるものであり、材質としては、平鋼板やアルミ板その他が選択できるが、特に平鋼板が最適である。また、金属板は、帯片部１０５のみに設けるだけでも良く、この場合でも、支片部１０６の構成によっては、ただ１つの形で全ての人々のサイズに対応させ得るという金属板使用のメリットが得られる。【０００９】  フレーム１０２の材質は、可撓性のあるものであれば何でも良いが、特に合成樹脂が製造法上好ましく、特に、金属板と一体化する場合に有利である。もし、フレーム１０２、特にその帯片部１０５に、十分に大きな可撓性があるものを選択すれば、それ自身で多くの人々のサイズに対応できる形状に変形することが可能となるので、この場合は必ずしも金属板１０４を設ける必要は無い。
突起１０３の材質は合成樹脂が好ましいが、他の材質でもかまわない。突起１０３とフレーム１０２とを同一の材質にして、両者を一体で製造すれば、製造法上有利であり、最も好ましいが、両者を別の材質にして必ずしも一体の製造でなくてもよい。
図２、図３は、本願にかかる頭髪保護キャップ１０１を、実際に使用する場合の斜面図と正面図である。金属板１０４が中央に設けられたフレームの帯片部１０５を、使用者の頭部のサイズに合うように、使用者の手によって丸く変形させ、更に、フレームの支片部１０６も使用者の手によって丸く変形させる。特に、帯片部１０５は、頭部のサイズより少し狭く変形させ、これにより頭髪保護キャップ１０１を頭部に挿入したときに、その弾性力によって頭髪保護キャップ１０１が頭部にしっかりと固定される。【００１０】  このように、本願にかかる頭髪保護キャップを頭部へ挿入した後、帽子、タオル、手ぬぐい、或いは、農作業用帽子を頭部に着用すると、多数の突起１０３によって、頭皮と帽子などとの間に空間が形成され、これにより、頭髪の形状を保護すると共に、通気性の確保と頭皮への刺激効果により、眠気の防止、脱毛の防止及び発毛の促進を図ることができ、そればかりでなく、本願にかかる頭髪保護キャップ１０１は、多数の突起１０３を設けるフレーム１０２が、帯片部１０５と、その側部から伸びる支片部１０６とに分かれ、この内の主として帯片部１０５が、頭髪保護キャップ１０１を主として前頭部の方から頭部へ支える構成であるため、頭髪保護キャップ１０１が頭部へしっかりと固定されて脱落が防止され、安定して使用することができると共に、髪型で最も重要である前髪の保護を十分に行うことができる。またこれにより、本願の頭髪保護キャップ１０１の支片部１０６は、前記した従来技術のように、脱落を防止するための必要以上の圧迫感を頭部へ与えない。なお、本願の頭髪保護キャップは、帽子の支えが無くとも脱落が防止されるので、帽子を被らない状態での使用も可能である。
また、本願の頭髪保護キャップに、塑性変形する金属板１０４をフレーム１０２の中央に設ける構造を採用する場合は、使用者の頭部の大きさに合せて、自在に湾曲変形ができ、これにより、ただ１つの形で、全ての人々頭部のサイズに対応できるようにすることができる。
【考案の効果】
【００１１】  本願にかかる頭髪保護キャップよれば、頭髪保護キャップがしっかりと頭部に固定されると共に、髪型で最も重要である前髪の保護が十分に行われ、更に、ただ１つの形で、全ての人々のサイズに対応できる形状とすることができるので、それによって頭部の大きさに応じて複数の種類を製造する必要を無くすことができる。また、フレームと突起と金属板とを一体で形成できるので、大きな作用効果にもかかわらず製造コストを低減できる。
【考案を実施するための最良の形態】
【００１２】  本願考案の実施するための最良の形態においては、図１ａ、図２、図３に示すように、合成樹脂製のフレームの帯片部１０５の上側のみに、６個のフレームの支片部１０６を伸ばし、それらの内の２個づつを上の方で鋭角に交叉・接続させて３つの三角形状を形成した。それぞれのフレームの帯片部と支片部の中央には、図１ｂに示すような構成で、金属板として最適な平鋼板を埋め込んだ。各突起１０３は、フレームと同一の素材によりフレームと一体で形成した。フレームの帯片部１０５の幅は、１０〜２０ｍｍの範囲であり、フレームの支片部１０６の幅は、１５〜３０ｍｍの範囲である。また、突起１０３は、高さを１０〜１６ｍｍとして、８〜１５ｍｍの間隔で設けた。この方法で製造した結果、しっかりと頭部に固定すると共に、ただ１つの形で、全ての人々の頭部のサイズに対応する頭髪保護キャップが得られた。
【図面の簡単な説明】
【００１３】〔図１ａ〕は、本願考案の全体の構成を示す図である。
〔図１ｂ〕は、金属板をフレーム中央部に埋め込む場合の、図１ａのＡ−Ａ′断面を示す図である。
〔図１ｃ〕は、金属板をフレーム中央部上に接着または溶着する場合の、図１ａのＡ−Ａ′断面を示す図である。
〔図２〕は、本願考案の使用態様を示す斜面図である。
〔図３〕は、本願考案の使用態様を示す正面図である。
〔図４〕は、第１の従来技術を示す図である。
〔図５〕は、第２の従来技術を示す図である。
【符号の説明】
【００１４】    １  帽子内装材
２  取付部
３  ベルクロテープ
４  取り付け片
５  突起
６  突起
７  帽子支持具
８  可撓性シート
９  スペーサー突起
１０１  頭髪保護キャップ
１０２  フレーム
１０３  突起
１０４  金属板
１０５  フレームの帯片部
１０６  フレームの支片部
【図１ａ】
0003116986.tif 000003
【図１ｂ】
0003116986.tif 000004
【図１ｃ】
0003116986.tif 000005
【図２】
0003116986.tif 000006
【図３】
0003116986.tif 000007
【図４】
0003116986.tif 000008
【図５】
0003116986.tif 000009